(57)【要約】【課題】枠体の縦枠に反りが生じてもピン部材がガイド溝から外れ難い建具を提供する。【解決手段】スライド部材に一端が揺動自在に支持されピン部材を備えたアームと、ピン部材が案内されるガイド溝を備えたベース部材とを備えて障子の開放角度を規制する規制機構が、障子が所定量開かれたときにアーム本体をベース部材側に移動させる移動機構を備えている。【選択図】図３
2015132133.tif 000002
【特許請求の範囲】
【請求項１】
枠体と、
前記枠体に設けられ回動することにより開閉される障子と、
前記障子の開放角度を規制する規制機構と、
を備え、
前記規制機構は、前記枠体と前記障子とのいずれか一方側にスライド自在に設けられたスライド部材と、
前記スライド部材に、一端が揺動自在に支持されたアーム本体、及び、前記アーム本体の他端に設けられ、先端部が基端側より大きな外形をなすピン部材、を有するアームと、
前記枠体と前記障子との他方側に設けられ、前記障子が閉じられた状態にて前記一方側に向かって突出されており、前記アームに設けられた前記ピン部材が内部に収容され、前記障子の回動に伴って前記アームが揺動しつつ前記ピン部材を案内するためのガイド溝を有するベース部材と、
を備えた建具であって、
前記ガイド溝は、前記ピン部材の前記先端部が挿通可能な幅広部と、前記幅広部と繋がって設けられ、前記ピン部材の前記先端部が挿通不能であり前記ピン部材の前記基端側より幅が広く形成され前記障子の開閉に伴う前記ピン部材の移動を案内する幅狭部と、を有し、
前記規制機構は、
前記障子が閉じられた状態にて前記スライド部材をスライドさせる操作をすることにより、前記ピン部材が前記ガイド溝内に位置する前記開放角度の規制状態と、前記ピン部材が前記ガイド溝外に位置する前記開放角度の規制解除状態と、が切り替えられ、
前記障子が開放された状態にて前記規制解除状態から前記規制状態に前記スライド部材がスライドされて移動された前記ピン部材を、当該障子が閉止される際に、前記ベース部材の前記一方側に案内して前記先端部を前記幅広部に挿通させる案内部を有し、
前記障子が所定量開かれたときに前記アーム本体を前記ベース部材側に移動させる移動機構を備えていることを特徴とする建具。
【請求項２】
請求項１に記載の建具であって、
前記アーム本体が前記ベース部材側に移動されるときの前記所定量は、前記ガイド溝において前記ピン部材が前記幅広部から前記幅狭部に移動する前までに前記障子が開かれる移動量であることを特徴とする建具。
【請求項３】
請求項１または請求項２に記載の建具であって、
前記移動機構は、前記アーム本体を前記スライド部材側に付勢する付勢部材と、前記スライド部材に設けられ、前記障子が所定量開かれたときに、前記付勢部材の付勢力に抗して前記アーム本体を前記スライド部材から離れる方向に移動させ、当該スライド部材から突出され、揺動する前記アーム本体が乗り上げる突起と、を有することを特徴とする建具。
【請求項４】
請求項１または請求項２に記載の建具であって、
前記移動機構は、前記アーム本体と前記スライド部材との間に介在され前記アーム本体と前記スライド部材とが互いに離れる方向に付勢される付勢部材と、前記スライド部材が設けられている部材に設けられ、前記障子を閉じるときに、前記付勢部材の付勢力に抗して前記アーム本体を前記所定位置に案内するアームガイドと、を有することを特徴とする建具。
【請求項５】
枠体と、
前記枠体に設けられ回動することにより開閉される障子と、
前記障子の開放角度を規制する規制機構と、
を備え、
前記規制機構は、前記枠体と前記障子とのいずれか一方側にスライド自在に設けられたスライド部材と、
前記スライド部材に、一端が揺動自在に支持されたアーム本体、及び、前記アーム本体の他端に設けられ、先端部が基端側より大きな外形をなすピン部材、を有するアームと、
前記枠体と前記障子との他方側に設けられ、前記障子が閉じられた状態にて前記一方側に向かって突出されており、前記一方側に位置する前記アームに設けられた前記ピン部材が内部に収容され、前記障子の回動に伴って前記アームが揺動しつつ前記ピン部材を案内するためのガイド溝を有するベース部材と、
を備えた建具であって、
前記スライド部材をスライドすることにより、前記ピン部材が前記ガイド溝内に位置する前記開放角度の規制状態と、前記ピン部材が前記ガイド溝外に位置する前記開放角度の規制解除状態と、が切り替えられ、
前記障子が開放された状態にて前記規制解除状態から前記規制状態に前記スライド部材がスライドされて移動された前記ピン部材を、当該障子が閉止される際に、前記ベース部材の前記一方側に案内して前記先端部を前記幅広部に挿通させる案内部を有し、
前記ガイド溝は、前記ピン部材の前記先端部が挿通可能な幅広部と、前記幅広部と繋がって設けられ、前記ピン部材の前記先端部が挿通不能であり前記ピン部材の前記基端側より幅が広く形成され前記障子の開閉に伴って前記ピン部材が移動する幅狭部と、を有し、
前記ベース部材は、前記障子を閉じた状態で、前記幅広部が形成されている部位が、前記幅狭部より前記アーム本体側に位置していることを特徴とする建具。
【発明の詳細な説明】
【技術分野】
【０００１】
本発明は、枠体に設けられ回動することにより開閉される障子の開放角度を規制する規制機構を備えた建具に関する。
【背景技術】
【０００２】
枠体に設けられ回動することにより開閉される障子の開放角度を規制する規制機構を備えた建具としては、例えば、縦枠の内周面に設けられたスライド自在なスライド部材に、アームの一端が揺動自在に支持されており、アームの他端に設けられているピン部材が障子の外周面に設けられたベース部材のガイド溝に係合する規制機構を備えた縦辷り出し窓用の建具が知られている。この縦辷り出し窓の規制機構は、障子を開く動作に伴ってアームが揺動しつつピン部材がガイド溝内を移動し、ピン部材がガイド溝の端に至って移動が規制されるとアームの揺動が不能となり障子の開放角度が規制される（例えば、特許文献１参照）。ここで、ガイド溝は、ベース部材においてアームと対向する板状の部位に設けられており、ピン部材の先端がガイド溝の幅より大きく形成されて移動中のピン部材がベース部材から離れる方向に移動してガイド溝から抜けないように構成されている。この規制機構は、ガイド溝の下方が開放されており、障子を閉じた状態でスライド部材を押し下げると、ピン部材がガイド溝の下方に抜け出るため、この状態（規制解除状態）で障子を開くとピン部材とガイド溝とが係合しないので障子は規制されることなく全開の状態まで開くことができる。
【０００３】
このような規制機構を備えた建具は、ピン部材とガイド溝とが係合していない状態で、開かれている障子を閉じるときに、スライド部材を押し上げた状態（規制状態）、すなわち、ピン部材がガイド溝と係合する位置にスライド部材が配置された状態であると、障子の外周部に設けられたベース部材とピン部材とが見込み方向にて衝突し、規制機構を損傷するおそれがある。このため、スライド部材を押し上げた状態で障子が閉じられた場合であっても、ベース部材とピン部材とが見込み方向に衝突しないように、ピン部材がベース部材と見込み方向と交差する方向にて隣り合う位置にピン部材を案内する部位が備えられている。
【０００４】
また、ガイド溝の下端部の幅がピン部材の先端の外形サイズより広く形成されており、スライド部材を押し上げた状態で障子が閉じられた場合に、ピン部材がベース部材と隣り合う位置に案内されるとともにガイド溝の下端部の幅が広い部位に案内され、ピン部材の先端が、ベース部材のガイド溝が形成された部位を越えることによりガイド溝とピン部材とが係合するように構成されたものもある。
【先行技術文献】
【特許文献】
【０００５】
【特許文献１】特許第４９０７５０８号公報
【発明の概要】
【発明が解決しようとする課題】
【０００６】
上述した規制機構は、障子を閉じた状態でスライド部材が押し上げられていると、ピン部材はガイド溝の幅が広い部位に位置しており障子を開くにつれてピン部材の位置が上昇し、ガイド溝の幅の狭い部位に移動する。すなわち、障子を開き始めたときには、ピン部材は、ガイド溝の幅の広い部位に位置している。
【０００７】
障子の、ベース部材が設けられている戸先側は、障子の開放動作である回動により、ガイド溝が設けられている面が傾きつつ回動中心側に移動していく。このため、障子を閉じたときにピン部材がガイド溝の奥側に入り込む掛かり代は、障子の回動と共に小さくなる。
【０００８】
一方、枠体は、取り付け時に縦枠が上下方向の中央部が障子と反対側に突出するように反りが生じた状態で取り付けられる場合がある。このように反りが生じた枠体に取り付けられた障子の規制機構は、障子を閉じたときにピン部材の掛かり代が小さくなる。そして、この障子を回動したときには、ピン部材の先端とガイド溝の一方の縁とが係合しないおそれがあり、この状態で障子を閉めることによりピン部材がガイド溝から外れてしまうおそれがあるという課題がある。
【０００９】
本発明は、かかる課題に鑑みてなされたものであり、その目的とするところは、スライド部材が規制状態のときに障子が閉じられた場合でもガイド溝とピン部材とが係合する規制機構を備えつつ、障子が取り付けられた枠体の縦枠に反りが生じてもピン部材がガイド溝から外れ難い建具を提供することにある。
【課題を解決するための手段】
【００１０】
かかる目的を達成するために本発明の建具は、枠体と、前記枠体に設けられ回動することにより開閉される障子と、前記障子の開放角度を規制する規制機構と、を備え、前記規制機構は、前記枠体と前記障子とのいずれか一方側にスライド自在に設けられたスライド部材と、前記スライド部材に、一端が揺動自在に支持されたアーム本体、及び、前記アーム本体の他端に設けられ、先端部が基端側より大きな外形をなすピン部材、を有するアームと、前記枠体と前記障子との他方側に設けられ、前記障子が閉じられた状態にて前記一方側に向かって突出されており、前記アームに設けられた前記ピン部材が内部に収容され、前記障子の回動に伴って前記アームが揺動しつつ前記ピン部材を案内するためのガイド溝を有するベース部材と、を備えた建具であって、前記ガイド溝は、前記ピン部材の前記先端部が挿通可能な幅広部と、前記幅広部と繋がって設けられ、前記ピン部材の前記先端部が挿通不能であり前記ピン部材の前記基端側より幅が広く形成され前記障子の開閉に伴う前記ピン部材の移動を案内する幅狭部と、を有し、前記規制機構は、前記障子が閉じられた状態にて前記スライド部材をスライドさせる操作をすることにより、前記ピン部材が前記ガイド溝内に位置する前記開放角度の規制状態と、前記ピン部材が前記ガイド溝外に位置する前記開放角度の規制解除状態と、が切り替えられ、前記障子が開放された状態にて前記規制解除状態から前記規制状態に前記スライド部材がスライドされて移動された前記ピン部材を、当該障子が閉止される際に、前記ベース部材の前記一方側に案内して前記先端部を前記幅広部に挿通させる案内部を有し、前記障子が所定量開かれたときに前記アーム本体を前記ベース部材側に移動させる移動機構を備えていることを特徴とする建具である。
【００１１】
このような建具によれば、ガイド溝が、ピン部材が移動する幅狭部と繋がり、ピン部材の先端部が挿通可能な幅広部を有しており、障子が開放された状態で規制状態の位置に位置するピン部材を、障子が閉止される際に、ベース部材の一方側に案内して先端部を幅広部に挿通させる案内部を有しているので、規制状態の位置にピン部材が位置する状態で障子を閉じたとしても、規制機構を損傷することなくピン部材とガイド溝とを係合させることが可能である。また、障子が所定量開かれたときにアーム本体をベース部材側に移動させる移動機構を備えているので、障子を所定量開いたときには、ピン部材のガイド溝に対する掛かり代が大きくなる。このため、たとえ障子が取り付けられている枠体の縦枠に、障子との間隔が広がるような反りが生じたとしてもピン部材がガイド溝から外れることを防止することが可能である。
【００１２】
かかる建具であって、前記アーム本体が前記ベース部材側に移動されるときの前記所定量は、前記ガイド溝において前記ピン部材が前記幅広部から前記幅狭部に移動する前までに前記障子が開かれる移動量であることが望ましい。
【００１３】
このような建具によれば、ピン部材が幅広部から幅狭部に移動する前にアーム本体がベース部材側に移動されるので、ピン部材が幅狭部に移動するときには、アーム本体がよりベース側、すなわちピン部材の先端は、ガイド溝よりも奥側に位置している。このため、ピン部材がガイド溝から外れることをより確実に防止することが可能である。
【００１４】
かかる建具であって、前記移動機構は、前記アーム本体を前記スライド部材側に付勢する付勢部材と、前記スライド部材に設けられ、前記障子が所定量開かれたときに、前記付勢部材の付勢力に抗して前記アーム本体を前記スライド部材から離れる方向に移動させ、当該スライド部材から突出され、揺動する前記アーム本体が乗り上げる突起と、を有することが望ましい。
【００１５】
このような建具によれば、アーム本体が回動自在に支持されているスライド部材に、障子が所定量開かれたときに、揺動するアーム本体が乗り上げることによりアーム本体をスライド部材から離れる方向に移動させる突起が突出されているので、障子が所定量開かれたときには、アーム本体が突起を乗り上げてより確実にピン部材がガイド溝から外れることを防止することが可能である。また、アーム本体はスライド部材側に付勢する付勢部材の付勢力に抗して突起に乗り上げるので、突起から外れたときには、速やかに元の位置に戻すことが可能である。
【００１６】
かかる建具であって、前記移動機構は、前記アーム本体と前記スライド部材との間に介在され前記アーム本体と前記スライド部材とが互いに離れる方向に付勢される付勢部材と、前記スライド部材が設けられている部材に設けられ、前記障子を閉じるときに、前記付勢部材の付勢力に抗して前記アーム本体を前記所定位置に案内するアームガイドと、を有することが望ましい。
【００１７】
このような建具によれば、アーム本体は、アーム本体とスライド部材との間に介在された付勢部材によりスライド部材から離れる方向に付勢されており、障子を閉じるときには付勢部材の付勢力に抗して所定位置に案内される。このため、障子が閉じられたときにはアーム本体が所定位置に配置され、所定量開かれた後にはアーム本体をスライド部材から離れる方向に付勢してより確実にピン部材がガイド溝から外れることを防止することが可能である。また、障子を閉じる際にはアームガイドによりアーム本体を、より確実に所定位置に移動させることが可能である。
【００１８】
また、枠体と、前記枠体に設けられ回動することにより開閉される障子と、前記障子の開放角度を規制する規制機構と、を備え、前記規制機構は、前記枠体と前記障子とのいずれか一方側にスライド自在に設けられたスライド部材と、前記スライド部材に、一端が揺動自在に支持されたアーム本体、及び、前記アーム本体の他端に設けられ、先端部が基端側より大きな外形をなすピン部材、を有するアームと、前記枠体と前記障子との他方側に設けられ、前記障子が閉じられた状態にて前記一方側に向かって突出されており、前記一方側に位置する前記アームに設けられた前記ピン部材が内部に収容され、前記障子の回動に伴って前記アームが揺動しつつ前記ピン部材を案内するためのガイド溝を有するベース部材と、を備えた建具であって、前記スライド部材をスライドすることにより、前記ピン部材が前記ガイド溝内に位置する前記開放角度の規制状態と、前記ピン部材が前記ガイド溝外に位置する前記開放角度の規制解除状態と、が切り替えられ、前記障子が開放された状態にて前記規制解除状態から前記規制状態に前記スライド部材がスライドされて移動された前記ピン部材を、当該障子が閉止される際に、前記ベース部材の前記一方側に案内して前記先端部を前記幅広部に挿通させる案内部を有し、前記ガイド溝は、前記ピン部材の前記先端部が挿通可能な幅広部と、前記幅広部と繋がって設けられ、前記ピン部材の前記先端部が挿通不能であり前記ピン部材の前記基端側より幅が広く形成され前記障子の開閉に伴って前記ピン部材が移動する幅狭部と、を有し、前記ベース部材は、前記障子を閉じた状態で、前記幅広部が形成されている部位が、前記幅狭部より前記アーム本体側に位置していることを特徴とする建具である。
【００１９】
このような建具によれば、ベース部材において、ガイド溝の幅がピン部材の先端の外形サイズより大きな幅広部が設けられた部位は、障子の開閉に伴ってピン部材が移動する幅狭部が設けられた部位よりアーム本体側に位置しているので、ピン部材が幅広部に位置するときには、幅狭部に位置するときよりピン部材の掛かり代が大きく確保されている。このため、たとえ障子が取り付けられる枠体の縦枠に反りが生じていたとしても、ピン部材が幅狭部に移動する前にガイド溝から外れることを抑えることが可能である。
【発明の効果】
【００２０】
本発明によれば、スライド部材が規制状態のときに障子が閉じられた場合でもガイド溝とピン部材とが係合する規制機構を備えつつ、障子が取り付けられた枠体の縦枠に反りが生じてもピン部材がガイド溝から外れ難い建具を提供することが可能である。
【図面の簡単な説明】
【００２１】
【図１】第一実施形態に係る建具を屋外側からみた外観図である。
【図２】規制機構を説明するための斜視図である。
【図３】規制機構の構成を説明するための分解斜視図である。
【図４】障子が閉止されたときの規制機構を屋内側から見た図である。
【図５】障子の回動により左右方向に移動するアーム部材の位置の変化を示す図であり、図５（ａ）は、正面図、図５（ｂ）は、図５（ａ）にけるＡ矢視図及びＢ矢視図である。
【図６】スライド部材が規制状態の時に障子が閉じられたときのピン部材の移動を下方から見た図である。
【図７】枠体に反りが生じたときの課題を説明するための平面図である。
【図８】高隆起部により変更されるピン部材の位置を説明するための平面図である。
【図９】第二実施形態に係る規制機構の構成を説明するための分解斜視図である。
【図１０】第二実施形態におけるガイド部の機能を説明するための斜視図である。
【図１１】第三実施形態のベース部材を示す斜視図である。
【図１２】第三実施形態の規制機構の効果を示す正面図である。
【発明を実施するための形態】
【００２２】
以下、本発明の第１実施形態に係る建具について図面を参照して説明する。
以下の説明では、建物等に取り付けられた建具を屋外側から見たときに上下となる方向を上下方向、左右となる方向を左右方向、屋内外方向である奥行き方向を見込み方向として示す。また、建具を構成する各部材及び各部位については、単体の状態であっても建具が取り付けられた状態で上下方向、左右方向、見込み方向等となる方向にて方向を特定して説明する。
【００２３】
本実施形態の建具１０は、図１に示すように、建物等に取り付けられた状態にて上下に位置する横枠１２ａと、左右に位置する縦枠１２ｂ、１２ｃとが矩形状に接合された枠体１２と、枠体１２に設けられて回動することにより開閉される障子１４と、障子１４の開放角度を規制する規制機構２０とを備えている。この建具１０は、障子１４の左右方向における一方の端部側（本実施形態では、左側）が上下の横枠１２ａに回動自在に支持されているとともに、上下の横枠１２ａに沿って移動可能に設けられ、障子１４が回動しつつ他方の端部側（本実施形態では右側）が屋外側に突き出していく縦辷り出し窓である。
【００２４】
障子１４は、面材としてのガラス１４ａを有しガラス１４ａの上下に位置する横框１４ｂと、左右に位置する縦框１４ｃ、１４ｄとが矩形状に接合されている。すなわち、上下の横框１４ｂが左側にて上下の横枠１２ａに支持されているので、左側の縦框１４ｃが吊元框であり右側の縦框１４ｄが戸先框である。
【００２５】
障子１４の戸先框１４ｄの屋内側には、見込み方向に沿う軸を中心として回動するハンドル１４ｅが設けられており、ハンドル１４ｅを回動することにより、縦辷り出し窓の施錠及び解錠状態を切り替える施錠機構が右側の縦枠１２ｃとの間に設けられている。また、障子１４の戸先框１４ｄと、右側の縦枠１２ｃとの間に、障子１４の開放角度を規制する規制機構２０が設けられている。
【００２６】
本実施形態の規制機構２０は、図１〜図３に示すように、右側の縦枠（以下、右縦枠という）１２ｃの内側面に基部材２２を介してスライド自在に設けられたスライド部材２４と、スライド部材２４に一端が揺動自在に支持されたアーム本体２８、及び、アーム本体２８の他端に設けられたピン部材３０を有するアーム２６と、障子１４の戸先框１４ｄの外面側に設けられピン部材３０を案内するためのガイド溝５１を有するベース部材５０と、を有している。
【００２７】
戸先框１４ｄと右縦枠１２ｃとの間に設けられた規制機構２０は、障子１４を閉止した状態において右縦枠１２ｃに設けられたスライド部材２４の戸先框１４ｄ側にて、上端側が支持されたアーム２６は、アーム本体２８が戸先框１４ｄ及び右縦枠１２ｃとほぼ平行に配置され、下端側に設けられたピン部材３０が戸先框１４ｄ側に設けられたベース部材５０の溝５１に挿入されるように配置されている。すなわち、戸先框１４ｄ及び右縦枠１２ｃとほぼ平行に配置されたアーム本体２８の上端側であって右縦枠１２ｃ側に基部材２２及びスライド部材２４が設けられ、アーム本体２８の下端側であって戸先框１４ｄ側にベース部材５０が設けられている。そして、ベース部材５０の右縦枠１２ｃ側であって、基部材２２及びスライド部材２４の下方側には、アーム２６のピン部材３０が設けられている部位が、ベース部材５０を乗り上げて移動可能な空隙１６(図４)が設けられている。
【００２８】
右縦枠１２ｃに設けられた基部材２２は、金属製のほぼ長方形状をなす板材が、上下の端部が段曲げされて形成された固定部２２ａにて右縦枠１２ｃに固定され、中央部分に右縦枠１２ｃと間隔を隔ててほぼ平行な平面をなす被摺動部２２ｂを有している。被摺動部２２ｂにはスライド部材２４が対面するように配置されるとともにスライド自在に取り付けられる。
【００２９】
被摺動部２２ｂには、右縦枠１２ｃの長手方向すなわち上下方向に長く形成され、上下の端部側にそれぞれ設けられた２つの長孔２２ｃと、長孔２２ｃとほぼ平行をなす縦縁部２２ｄと円弧状をなす円弧縁部２２ｅとを有する屈曲孔２２ｆとが設けられている。また、被摺動部２２ｂの下端にはアーム２６がほぼ鉛直の姿勢から屋内側に揺動することを防止するストッパー２２ｈが設けられている。ストッパー２２ｈは、アーム本体２８を当接部２２ｉに誘導するとともにアーム本体２８が屋内側に揺動することを防止すべく設けられている。より具体的には、障子１４が開放された状態にて規制解除状態から規制状態にスライド部材２４がスライドされることによりピン部材３０が移動された状態で障子１４を閉じるときに、ピン部材３０が案内部５０ｄに沿って移動して幅広部５１ｂに挿通される際に、アーム本体２８を規制しながら当接部２２ｉに誘導する役割をしている。
【００３０】
スライド部材２４は、基部材２２の被摺動部２２ｂと対面して摺動する摺動板部２４ａと、摺動板部２４ａから屋内側に繋がって当該摺動板部２４ａとほぼ直角をなすように設けられた操作腕部２４ｂと、操作腕部２４ｂの先端側に屋内側に突出するように嵌合された操作把持部２４ｃとを有している。
【００３１】
摺動板部２４ａには、基部材２２の右縦枠１２ｃ側から長孔２２ｃに挿通されたスライドピン２４ｄが、摺動板部２４ａの上端側の右側の部位と下端側の左側の部位とにそれぞれ固定されている。このため、スライドピン２４ｄが長孔２２ｃ内を移動可能な範囲にて、スライド部材２４は上下方向にスライドすることが可能である。
【００３２】
スライド部材２４の上端側と下端側とに設けられたスライドピン２４ｄの間の領域には、基部材２２から離れる方向に僅かに隆起されたアーム支持部２４ｅが形成されている。アーム支持部２４ｅには、上部側にアーム２６の回動中心となる一方の端部としての上端部２６ａが回動自在に支持される回動軸孔２４ｆと、回動軸孔２４ｆと同心にて当該回動軸孔２４ｆの外側に配置された円弧状のアームガイド孔２４ｇが設けられている。アームガイド孔２４ｇは、その上側の縁が、上下にスライド可能なスライド部材２４が上側の位置に配置された状態で、基部材２２の円弧縁部２２ｅと重なるように構成されている。
【００３３】
アーム支持部２４ｅには、アームガイド孔２４ｇと同心をなし当該アームガイド孔２４ｇの外周側に弧を描くように、アーム支持部２４ｅよりさらに基部材２２から離れる方向に僅かに隆起させたアーム移動突起２５が設けられている。アーム移動突起２５は、２つの異なる高さの隆起部からなり、回動軸孔２４ｆの真下側に隆起高さが低い低隆起部２５ａが設けられ、低隆起部２５ａと繋がって操作腕部２４ｂと反対側に設けられ、低隆起部２５ａより隆起高さが高い突起としての高隆起部２５ｂが設けられている。アーム移動突起２５については後述する。
【００３４】
アーム２６は、剛性を高めるために絞り加工された金属板でなるアーム本体２８と、アーム本体２８の揺動先端側にかしめられたピン部材３０と、アーム本体２８の上端部２６ａ側に回動中心に設けられる回動ピン２７と間隔を隔てて僅かに揺動端側にかしめられた規制ピン２９と、を有している。
【００３５】
ピン部材３０は、かしめられている端部とは反対側となる先端部に、かしめられた端部側より拡径された拡径部３０ａを有し、拡径部３０ａとアーム本体２８との間の軸部３０ｂの外周にカラー３３が回動自在に設けられている。規制ピン２９はアーム本体２８のスライド部材２４側に、ピン部材３０はアーム本体２８のスライド部材２４とは反対側にそれぞれ設けられている。
【００３６】
アーム２６は、アーム本体２８の上端部２６ａ側に設けられた孔２８ａを貫通する回動ピン２７がスライド部材２４の回動軸孔２４ｆに固定されている。回動ピン２７は、アーム本体２８の孔２８ａより僅かに細い軸部２７ａと軸部２７ａより拡径された頭部２７ｂとを有しており、軸部２７ａは、アーム本体２８の厚みより十分に長く形成されている。
【００３７】
アーム本体２８と回動ピン２７の頭部２７ｂとの間には付勢部材としての円錐コイルばね３１が介在されており、アーム２６はスライド部材２４側に当接されるように円錐コイルばね３１により付勢されている。このように、アーム本体２８と回動ピン２７の頭部２７ｂとの間に円錐コイルばね３１が介在されているため、たとえアーム２６の揺動先端側が回動ピン２７の軸部２７ａに沿う方向に移動しても、アーム２６は上端部２６ａ側にて円錐コイルばね３１を圧縮して傾くことが許容されるので、アーム２６の変形を抑えることが可能である。本実施形態では、付勢部材を円錐コイルばね３１としたが、ばねの伸縮方向において内径が相違しないコイルばね、皿ばね、板ばねなどのばね及びゴムなどの部材であっても良い。
【００３８】
アーム２６がスライド部材２４側に当接された状態では、規制ピン２９がスライド部材２４のアームガイド孔２４ｇと屈曲孔２２ｆとに貫通されている。そして、スライド部材２４がスライド可能な範囲の下端に位置するときには、規制ピン２９はアームガイド孔２４ｇの最も屋内側に位置するとともに、屈曲孔２２ｆの縦縁部２２ｄに沿う位置の下端側に位置している。このとき、アーム２６は下端が僅かに屋外側に位置するが、長手方向がほぼ鉛直方向に向くような姿勢を維持している。
【００３９】
そして、操作把持部２４ｃが上方へ操作されてスライド部材２４が上方へスライドされると、スライド部材２４がスライド可能な範囲の上端に移動する。このとき、アーム２６は、円錐コイルばね３１に押圧されてアーム本体２８が低隆起部２５ａに押し付けられ、ほぼ鉛直の姿勢を維持したままでスライド部材２４とともに上昇する。このとき規制ピン２９はアームガイド孔２４ｇの最も屋内側に位置したままで屈曲孔２２ｆの縦縁部２２ｄに沿う位置の上端側すなわち円弧縁部２２ｅの屋内側の端部に移動する。スライド部材２４がスライド可能な範囲の上端に位置すると、アームガイド孔２４ｇの上縁と円弧縁部２２ｅとが重なり、規制ピン２９は、アームガイド孔２４ｇの上縁と円弧縁部２２ｅとに沿って円弧状の軌道をとって移動可能となり、アーム２６が揺動可能となる。
【００４０】
図２〜図４に示すように、障子１４の戸先框１４ｄの外面側に、右縦枠１２ｃ側に向かって突出させて設けられたベース部材５０は、金属製のほぼ長方形状をなす板材が、上下の端部が段曲げされて形成された固定部５０ａが戸先框１４ｄに固定され、上下の固定部５０ａ間の中央部分は戸先框１４ｄと間隔を隔て、右縦枠１２ｃの内周面側に向かう側板部５０ｂを有し、上下の固定部５０ａと側板部５０ｂとは連結部５０ｃにて繋がっている。
【００４１】
側板部５０ｂと下側の連結部５０ｃとには、側板部５０ｂから下側の連結部５０ｃに繋がって、上下方向に沿うガイド溝５１が設けられている。側板部５０ｂの屋外側の縁と屋内側の縁の下端部を除く部位は、戸先框１４ｄ側にほぼ直角に折り曲げられて剛性が高められている。また、側板部５０ｂの屋内側及び屋外側の縁の下端部には、ベース部材５０より右縦枠１２ｃ側へピン部材３０を案内するための案内部５０ｄが設けられている。案内部５０ｄは側板部５０ｂから繋がった傾斜面５０ｅを形成する部位であり、見込み方向において屋内側および屋外側から側板部５０ｂに向かって、それぞれ戸先框１４ｄから離れるように傾斜している。案内部５０ｄは、図４、図５に示すように、スライド部材２４がスライド可能な範囲の上端に配置された際にピン部材３０が位置する高さとほぼ同じ位置に設けられている。
【００４２】
側板部５０ｂから下側の連結部５０ｃに亘って設けられたガイド溝５１は、図５に示すように、側板部５０ｂの下端側に、ピン部材３０の拡径部３０ａの外形サイズより幅が広い幅広部５１ｂと、ピン部材３０の拡径部３０ａの外形サイズより幅が狭く、拡径部３０ａより基端側に設けられたカラー３３の直径より幅が僅かに広い幅狭部５０ａとを有している。幅狭部５０ａは、幅広部５１ｂの幅を直径とする半円状をなす幅広部５１ｂの上縁と繋がって鉛直方向に設けられており、幅狭部５０ａの上縁は、幅狭部５０ａの幅を直径とする半円状をなしている。幅広部５１ｂと幅狭部５０ａとは、側板部５０ｂにおいて見込み方向の中央から見込方向に振り分けて配置され、幅広部５１ｂは、屋内側および屋外側に各々設けられた案内部５０ｄの間に位置するように形成されている。ここで、本実施形態のベース部材５０は、左右のいずれの側から開く障子に対応すべく、屋内側と屋外側とにそれぞれ案内部５０ｄが設けられている例について説明したが、必ずしも両側に設けられている必要はなく、障子１４が開放された状態にて規制解除状態から規制状態にスライド部材２４がスライドされて障子１４を閉じられる際に、ピン部材３０が接触する側に設けられていればよい。
【００４３】
戸先框１４ｄに固定されたベース部材５０は、図５（ａ）に示すように、障子１４が閉じられた状態にて右縦枠１２ｃ側に向かって突出されており、右縦枠１２ｃ側に設けられたスライド部材２４が上側に位置するときに、ベース部材５０の右縦枠１２ｃ側に位置するアーム本体２８に設けられたピン部材３０の拡径部３０ａがガイド溝５１の幅広部５１ｂに位置するとともにベース部材５０の内部、すなわち、側板部５０ｂと戸先框１４ｄとの間に収容される。
【００４４】
スライド部材２４が上側に位置してピン部材３０の拡径部３０ａが幅広部５１ｂに位置するときに、障子１４が外側に開かれると、障子１４の回動に伴ってアーム２６が揺動しつつガイド溝５１に案内されてピン部材３０が上昇し始める。このとき、アーム本体２８は、円錐コイルばね３１により低隆起部２５ａに押し付けられた状態で、ピン部材３０が幅広部５１ｂの屋内側の縁に引っ張られることによりピン部材３０が上昇するように回動し始める。
【００４５】
障子１４を開き続けると、アーム本体２８は、低隆起部２５ａと高隆起部２５ｂとの境界に押し付けられながら回動し、ピン部材３０の拡径部３０ａがガイド溝５１の幅広部５１ｂと幅狭部５１ａとの境界部分に至る前に、アーム２６が、アーム本体２８が高隆起部２５ｂに乗り上げ始める。アーム本体２８が高隆起部２５ｂに乗り上げ始めることにより、アーム本体２８は屋外側が戸先框側に位置するように傾斜し始める。これに伴ってピン部材３０も傾斜し、拡径部３０ａの屋外側の縁の位置が、低隆起部２５ａに押し付けられていたときより戸先框１４ｄ側に移動する。ここで、高隆起部２５ｂに乗り上げてアーム２６を揺動する機構部分がアーム本体２８をベース部材５０側に移動させる移動機構に相当する。
【００４６】
そして、アーム２６が更に回動すると、図５（ｂ）に示すように、アーム本体２８が高隆起部２５ｂにてスライド部材２４の摺動板部２４ａとほぼ平行となり、ピン部材３０の拡径部３０ａは、側板部５０ｂと戸先框１４ｄとの間にて、より戸先框１４ｄ側に位置して、ピン部材３０の、側板部５０ｂより戸先框１４ｄ側に突出する量となる掛かり代Ｘが、アーム本体２８が低隆起部２５ａに押し付けられていたときより大きくなる。尚、図５（ｂ）においては、便宜上ベース部材５０を一点鎖線にて示している。
【００４７】
ピン部材３０のベース部材５０に対する掛かり代Ｘが大きくなった状態で、更に障子１４を開くと、ピン部材３０の拡径部３０ａが側板部５０ｂより戸先框１４ｄ側に案内され、その後、ピン部材３０がガイド溝５１の上端に当接するか、又は、規制ピン２９がアームガイド孔２４ｇ或いは円弧縁部２２ｅに沿った屋外側の端部に当接してアーム２６が揺動できなくなった位置にて障子１４の開放角度が規制される。
【００４８】
開放角度が規制された障子１４を閉じる方向に回動すると、幅狭部５１ａの屋内側の縁によるピン部材３０の屋内側への規制が解除されると共に、幅狭部５１ａの屋外側の縁に押されることによりピン部材３０が下方に移動するようにアーム２６が回動する。アーム２６は、円錐コイルばね３１により押し付けられて高隆起部２５ｂを摺動しつつ回動し、低隆起部２５ａに至ったときに、ピン部材３０の位置が右縦枠１２ｃ側に戻され、障子１４が閉じたときに、アーム本体２８がほぼ鉛直の姿勢にてストッパー２２ｈに当接し回動が停止される。
【００４９】
また、障子１４が閉じられた状態にて右縦枠１２ｃ側に設けられたスライド部材２４が下側へスライドされると、図４に示すように、右縦枠１２ｃ側に位置するアーム本体２８に設けられたピン部材３０は下側の連結部５０ｃのガイド溝５１からベース部材５０の下方へ移動しガイド溝５１の外に配置される。スライド部材２４が下側に位置するときに、障子１４が外側に開かれると、ピン部材３０はベース部材５０と接触しないのでアーム２６は回動しない。このため、障子１４は規制機構２０にて規制されることなく最も大きく開放される。
【００５０】
スライドされたスライド部材２４が移動可能な範囲の上端に位置して、ピン部材３０がガイド溝５１内に位置する場合には、障子１４を開くと開放角度が規制されるので、スライド部材２４が上に位置する状態が規制状態であり、スライドされたスライド部材２４が移動可能な範囲の下端に位置して、ピン部材３０がガイド溝５１外に位置する場合には、障子１４を開いても開放角度は規制されないので、スライド部材２４が下に位置する状態が規制解除状態である。すなわち、スライド部材２４を上下にスライドすることにより開放角度の規制状態と規制解除状態とを切り替えることが可能である。
【００５１】
本実施形態の建具１０が備える規制機構２０は、スライド部材２４が下側に位置する規制解除状態にて障子１４が開放され、スライド部材２４がスライドされて規制状態にされた後、障子１４が閉められた場合であっても、障子１４を閉じるだけで、アーム２６のピン部材３０の先端側が、ガイド溝５１の幅広部５１ｂ内に位置するように構成されている。
【００５２】
具体的には、障子１４が開放開度を規制されることなく開放されて、スライド部材２４が上側に位置しアーム２６が図６（ａ）に示すような規制状態の位置にあるときに、障子１４が閉じられると、図６（ｂ）に示すように、ほぼ鉛直の姿勢をなすアーム２６のピン部材３０に戸先框１４ｄに設けられたベース部材５０の案内部５０ｄが接触する。
【００５３】
さらに障子１４を閉じると、図６（ｃ）に示すように、ピン部材３０が案内部５０ｄの傾斜面５０ｅを摺動しつつアーム本体２８は、上端部側が円錐コイルばね３１を圧縮しつつ下端側が右縦枠１２ｃ側に位置するように傾斜する。このとき、ピン部材３０は、円錐コイルばね３１の反発力により案内部５０ｄおよび側板部５０ｂに押圧されつつ摺動する。そして、障子１４が閉じられて幅広部５１ｂがピン部材３０と対向する位置に至ると、図６（ｄ）に示すように、ピン部材３０が幅広部５１ｂから戸先框１４ｄ側に進入し、アーム本体２８がほぼ鉛直の姿勢に復帰する。
【００５４】
ところで、このような建具１０は、施工現場の状況等により枠体が必ずしも正確な矩形をなしているとは限らない。例えば、規制機構２０のアーム２６が取り付けられる縦枠１２ｃの上下方向における中央側が外周側に突出するように反りが生じるおそれがある。アーム２６が取り付けられる縦枠１２ｃに反りが生じている場合には、たとえ規制機構２０を適切に取り付けたとしても、高隆起部２５ｂが設けられていない場合には、図７（ａ）に示すように、ピン部材３０のベース部材５０に対する掛かり代Ｘが小さくなる。このため、障子１４を開くことにとより縦枠１２ｃから離れる方向に移動する戸先框１４ｄに設けられたベース部材５０との掛かり代Ｘが更に小さくなり、ピン部材３０の拡径部３０ａがガイド溝５１の幅広部５１ｂと幅狭部５１ａとの境界部分に至る前に、図７（ｂ）に示すようにピン部材３０の拡径部３０ａが幅広部５１ｂの室外側の縁から外れししまうおそれがある。ピン部材３０の拡径部３０ａがガイド溝５１の幅広部５１ｂと幅狭部５１ａとの境界部分に至る前に、幅広部５１ｂの室外側の縁から外れししまうと、障子１４の開放角度を規制できないおそれがあるとともに、たとえ開放角度を規制できたとしても、障子１４を閉じるときに、アーム２６とベース部材５０との係合が解除されてしまうおそれがある。
【００５５】
このため、本願の建具１０では、アーム本体２８を高隆起部２５ｂに沿って摺動させることにより予めピン部材３０を戸先框１４ｄ側に移動可能な構成とし、たとえ縦枠１２ｃに反りが生じた場合であっても、ピン部材３０とベース部材５０との必要な掛かり代Ｘを十分に確保できるようにしている。
【００５６】
また、図８（ａ）に示すように、ピン部材３０の拡径部３０ａが幅広部５１ｂから幅狭部５１ａに移動する前にアーム本体２８がベース部材５０側に移動されるので、ピン部材３０の拡径部３０ａが幅狭部５１ａに移動するときには、アーム本体２８がよりベース部材５０側、すなわちピン部材３０の拡径部３０ａは、側板部５０ｂと戸先框１４ｄとの間にて、より戸先框１４ｄ側に位置している。このため、障子１４の開放開度が規制される位置まで障子１４を平板としても、図８（ｃ）に示すように、ピン部材３０がガイド溝５１から外れることをより確実に防止することが可能である。
【００５７】
また、アーム本体２８が回動自在に支持されているスライド部材２４に、ピン部材３０の拡径部３０ａが幅広部５１ｂから幅狭部５１ａに移動する前まで障子１４が開かれたときに、揺動するアーム本体２８が乗り上げることによりアーム本体２８をスライド部材２４から離れる方向に移動させる高隆起部２５ｂが突出されているので、ピン部材３０の拡径部３０ａが幅広部５１ｂから幅狭部５１ａに移動する前まで障子１４が開かれたときには、アーム本体２８が高隆起部２５ｂを乗り上げてより確実にピン部材３０がガイド溝５１から外れることを防止することが可能である。また、アーム本体２８はスライド部材２４側に付勢する円錐コイルばね３１の付勢力に抗して高隆起部２５ｂに乗り上げるので、高隆起部２５ｂから外れたときには、速やかに元の位置に戻すことが可能である。
【００５８】
第１実施形態の規制機構２０は、ピン部材３０の拡径部３０ａがガイド溝５１の幅広部５１ｂと幅狭部５１ａとの境界部分に至る前に、ピン部材３０のベース部材５０に対する掛かり代Ｘを大きくする構成を、スライド部材２４に高隆起部２５ｂを設けることにより実現しているので、部材を増やすことなく、既存の部材に加工を追加するだけの簡単な構成にて実現している。このため、製造及び組立がし易く、且つコストを抑えることが可能である。
【００５９】
次に、本発明の第２実施形態の建具１０が備える規制機構２０について説明する。
以下の説明において、前述した実施形態と同一構成については図中で同符号を付して示し、その説明については省略する。
【００６０】
第２実施形態の建具１０が備える規制機構２０は、第１実施形態にて回動ピン２７の頭部２７ｂとアーム本体２８の上端部との間に設けられていた円錐コイルばね３１が、図９に示すように、スライド部材２４とアーム本体２８の上端部との間に設けられており、基部材２２にストッパー２２ｈが設けられていた部位にアーム本体２８のガイド部２３ａを有するアームガイド２３が設けられている。また、第１実施形態にてスライド部材２４に設けられていた高隆起部２５ｂが設けられていない点で第１実施形態の建具が備える規制機構２０と相違している。
【００６１】
第２実施形態のアーム２６は、円錐コイルばね３１がアーム本体２８とスライド部材２４との間に介在されているので、常に戸先框１４ｄ側に付勢されている。
また、基部材２２に設けられているアームガイド２３は、アーム本体２８が屋内側に揺動することを防止すべくアーム本体がほぼ鉛直の姿勢で当接される当接部２３ｂと、当接部２３ｂと繋がって屋外側に向かって被摺動部２２ｂから離れる方向に傾斜しアーム２６が揺動する際にアーム本体２８がガイドされるガイド部２３ａを有している。ガイド部２３ａは、障子１４が開放された状態にて規制解除状態から規制状態にスライド部材２４がスライドされることによりピン部材３０が移動された状態で障子１４を閉じるときに、ピン部材３０が案内部５０ｄに沿って移動し幅広部５１ｂに挿通れる際に、アーム本体２８を規制しながら当接部２３ｂに誘導する役割をしている。
【００６２】
当接部２３ｂは、第１実施形態において障子１４を閉じた状態にてピン部材３０の拡径部３０ａが配置され得る位置と同じ位置に配置されるように、アーム本体２８が当接する左右方向の幅が決められている。ガイド部２３ａは、当接部２３ｂの戸先框１４ｄ側の縁から繋がって形成されている。ガイド部２３ａの先端は、障子１４が開かれてアーム２６が屋外側に突出するように揺動したときに、ピン部材３０の拡径部３０ａがガイド溝５１の幅広部５１ｂと幅狭部５１ａとの境界部分に至る前に、ガイド部２３ａからアーム本体２８が外れるように形成されている。第２実施形態では、第１実施形態にて、アーム本体２８が、高隆起部２５ｂに至る位置と同じ位置で、アーム本体２８がアームガイド２３のガイド部２３ａから外れるように形成されている。
【００６３】
第２実施形態の規制機構２０の場合には、図１０（ａ）に示すように、スライド部材２４が上側に位置してピン部材３０の拡径部３０ａが幅広部５１ｂに位置するときに、障子１４が外側に開かれると、障子１４の回動に伴ってアーム２６が揺動しつつガイド溝５１に案内されてピン部材３０が上昇し始める。このとき、アーム本体２８は、円錐コイルばね３１によりアームガイド２３のガイド部２３ａに押し付けられた状態で、ガイド部２３ａに沿って戸先框１４ｄ側移動しつつピン部材３０が上昇するように回動し始める。
【００６４】
障子１４を開き続け、ピン部材３０の拡径部３０ａがガイド溝５１の幅広部５１ｂと幅狭部５１ａとの境界部分に至る前に、図１０（ｂ）に示すように、アーム本体２８は、ガイド部２３ａから外れて円錐コイルばね３１により付勢された状態となって回動する。アーム本体２８がガイド部２３ａから外れることにより、ピン部材３０の位置が、アーム本体２８が当接部２８ｂに当接していたときより戸先框１４ｄ側に位置し、ピン部材３０の、側板部５０ｂより戸先框１４ｄ側に突出する量となる掛かり代が、アーム本体２８が当接部２８ｂに当接していたときより大きくなる。ここで、第２実施形態においては、円錐コイルばね３１によりアームガイド２３のガイド部２３ａに押し付けられた状態でアーム２６が揺動する機構部分がアーム本体２８をベース部材５０側に移動させる移動機構に相当する。
【００６５】
第２実施形態の建具１０によれば、アーム本体２８は、アーム本体２８とスライド部材２４との間に介在されアーム本体２８とスライド部材２４との間に設けられた円錐コイルばね３１によりスライド部材２４から離れる方向に付勢されているが、ピン部材３０の拡径部３０ａがガイド溝５１の幅広部５１ｂと幅狭部５１ａとの境界部分に至る前まで障子１４が開かれていないときにはアームガイド２３により当接部２３ｂに当接される位置に維持されている。このため、ピン部材３０の拡径部３０ａがガイド溝５１の幅広部５１ｂと幅狭部５１ａとの境界部分に至る前にはアーム本体２８をガイド部２３ａによりガイドし、ピン部材３０の拡径部３０ａがガイド溝５１の幅広部５１ｂと幅狭部５１ａとの境界部分に至った後にはアーム本体２８がガイド部２３ａから外れてスライド部材２４から離れる方向に付勢してより確実にピン部材３０がガイド溝５１から外れることを防止することが可能である。また、ガイド部２３ａは、障子１４を閉じる際にアーム本体２８を当接部に当接される位置に案内するので、確実にアーム本体２８を元の位置に移動させることが可能である。
【００６６】
本発明の第３実施形態の建具１０が備える規制機構２０について説明する。
第３実施形態の建具１０が備える規制機構２０は、第１実施形態にてスライド部材２４に設けられていた高隆起部２５ｂが設けられておらず、ベース部材５０の側板部５０ｂが、幅広部５１ｂが形成されている下側板部５０ｆが、幅狭部５１ａが形成されている上側板部５０ｇより右縦枠１２ｃ側に突出している点で第１実施形態の建具１０が備える規制機構２０と相違している。
【００６７】
第３実施形態の場合には、障子１４を閉じた状態にて、側板部５０ｂの幅広部５１ｂが形成されている下側板部５０ｆが、予め上側板部５０ｇよりアーム本体２８側に位置するように構成されている。このため、ピン部材３０が幅広部５１ｂに位置するときに、ピン部材３０のベース部材５０に対する掛かり代Ｘａが、ピン部材３０が幅狭部５１ａに位置するときの掛かり代Ｘｂより大きくなるように形成されている。
【００６８】
本発明の第３実施形態の建具１０が備える規制機構２０の場合には、ベース部材５０において、幅広部５１ｂが設けられた下側板部５０ｆは、障子１４の開閉に伴ってピン部材３０が移動する幅狭部５１ａが設けられた上側板部５０ｇよりアーム本体２８側に位置しているので、ピン部材３０が幅広部５１ｂに位置するときには、幅狭部５１ａに位置するときよりピン部材３０の掛かり代が大きく確保されている。このため、たとえ障子１４が取り付けられる枠体１２の縦枠１２ｃに反りが生じていたとしても、ピン部材３０が幅狭部５１ａに移動する前にガイド溝５１から外れることを抑えることが可能である。第３実施形態においては、下側板部５０ｆと上側板部５０ｇとが段差を有するベース部材５０に形成されたガイド溝５１に案内されてアーム２６が揺動する機構部分がアーム本体２８をベース部材５０側に移動させる移動機構に相当する。
【００６９】
上記実施形態においては、スライド部材２４及びアーム２６を枠体１２側に、ベース部材５０を障子１４側に設けた例について説明したが、枠体側にベース部材を設け、障子側にスライド部材及びアームを設けた構成としても良い。
【００７０】
上記実施形態においては、建具を縦辷り出し窓としたが、これに限るものではなく、開き窓、横辷り出し窓、突き出し窓、外倒し窓など、回動することにより開放される窓を構成する建具であれば構わない。
【００７１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７２】
１０  建具、１２  枠体、１２ｃ  右縦枠、１４  障子、１４ｃ  縦框、
２０  規制機構、２３  アームガイド、２３ａ  ガイド部、２４  スライド部材、
２５  アーム移動突起、２５ｂ  高隆起部、２６  アーム、２８  アーム本体、
３０  ピン部材、３０ａ  拡径部、３１  円錐コイルばね、５０  ベース部材、
５０ｄ  案内部、５０ｅ  傾斜面、５０ｆ  下側板部、５１  ガイド溝、
５１ａ  幅狭部、５１ｂ  幅広部
【図１】
2015132133.tif 000003
【図２】
2015132133.tif 000004
【図３】
2015132133.tif 000005
【図４】
2015132133.tif 000006
【図５】
2015132133.tif 000007
【図６】
2015132133.tif 000008
【図７】
2015132133.tif 000009
【図８】
2015132133.tif 000010
【図９】
2015132133.tif 000011
【図１０】
2015132133.tif 000012
【図１１】
2015132133.tif 000013
【図１２】
2015132133.tif 000014